(57)【要約】【課題】ＥＰ灰が移送される複数のサイロのうちいずれかに不調が生じた場合や、いずれかの灰量が限界に達した場合などにおいても、火力発電所のユニット運転を継続することを可能にする。【解決手段】ＥＰ灰の処理システム１０においては、ＥＰ灰を電気集塵器１１，１２から１号中継サイロ２１又は極細粉サイロ２２へ移送する移送経路中に切替装置３０が設けられ、当該切替装置３０により、ＥＰ灰の全量について、１号中継サイロ２１又は極細粉サイロ２２のうちいずれのサイロへ移送させるかを選択可能にした。【選択図】図１
2011031207.tif 000002
【特許請求の範囲】
【請求項１】
火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理システムであって、
前記ＥＰ灰を前記電気集塵器から前記第一のサイロ又は前記第二のサイロへ移送する移送経路中に切替装置が設けられ、当該切替装置により、前記ＥＰ灰の全量について、前記第一のサイロ又は前記第二のサイロのうちいずれのサイロへ移送させるかを選択可能にしたことを特徴とするＥＰ灰の処理システム。
【請求項２】
火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理方法であって、
前記ＥＰ灰の全量について、前記第一のサイロ又は前記第二のサイロのうちいずれのサイロへ移送させるかを選択可能にしたことを特徴とするＥＰ灰の処理方法。
【請求項３】
火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理システムにおいて、前記ＥＰ灰を前記電気集塵器から前記第一のサイロ又は前記第二のサイロへ移送する移送経路中に切替装置が設けられ、且つ、当該切替装置を制御するコンピュータが設けられ、前記コンピュータに、前記ＥＰ灰の全量について、前記第一のサイロ又は前記第二のサイロのうちいずれのサイロへ移送させるかを選択するステップを実行させるＥＰ灰の処理用プログラム。
【発明の詳細な説明】
【技術分野】
【０００１】
本発明は、ＥＰ灰の処理システム、ＥＰ灰の処理方法、及びＥＰ灰の処理用プログラムに関する。
【背景技術】
【０００２】
火力発電所は、各種のユニット（例えば、ボイラなど）で構成されており、これらのユニット運転に伴って、大量の石炭灰が排出される。そして、排出された石炭灰は、火力発電所に設けられた電気集塵器により、ＥＰ（Electron Particle）灰として捕集され、各種の処理が施されるようになっている（例えば、特許文献１参照）。
【０００３】
より具体的に説明すると、火力発電所から排出される石炭灰は、その粒径の大小に応じて、電気集塵器の各室において捕集され、例えば、第１〜３室を有する電気集塵器にあっては、第１，２室において粒径の大きなＥＰ灰が捕集され、第３室においては粒径の小さなＥＰ灰が捕集される。そして、このように捕集されたＥＰ灰は、中継サイロに移送されて再利用処理が施され、或いは、極細粉サイロに移送されて廃棄処理が施される。
【０００４】
とりわけ、従来の技術にあっては、図３に示すように、電気集塵器の第３室において捕集されたＥＰ灰（図３の「ＥＰ３室灰」参照）については、中継サイロ又は極細粉サイロのうちいずれのサイロへ移送させるかを選択することが可能であったものの、電気集塵器の第１，２室において捕集されたＥＰ灰（図３の「Ａ−ＥＰ１，２室灰」及び「Ａ−ＥＰ１，２室灰」参照）については、中継サイロへのみ移送させるようになっていた。
【特許文献１】特開平４−７８４８１号公報
【発明の開示】
【発明が解決しようとする課題】
【０００５】
しかしながら、従来の技術にあっては、次のような問題があった。  
すなわち、従来の技術にあっては、前述した如く、電気集塵器の第１，２室において捕集されたＥＰ灰は、中継サイロへのみ移送されることとなっており、極細粉サイロへ移送することができないようになっていた。  
そのため、火力発電所のユニット運転中に中継サイロに不調が生じた場合や、中継サイロに収納される灰量が限界に達した場合などにおいては、ユニット全体を停止する必要があり、ユニット運転を継続することができないという問題があった。
【０００６】
本発明は、このような問題に鑑みてなされたものであり、ＥＰ灰が移送される複数のサイロのうちいずれかに不調が生じた場合や、いずれかの灰量が限界に達した場合などにおいても、火力発電所のユニット運転を継続することが可能なＥＰ灰の処理システム、ＥＰ灰の処理方法、及びＥＰ灰の処理用プログラムを提供することを目的とする。
【課題を解決するための手段】
【０００７】
上記課題を解決するために、本発明は、火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理システムであって、前記ＥＰ灰を前記電気集塵器から前記第一のサイロ又は前記第二のサイロへ移送する移送経路中に切替装置が設けられ、当該切替装置により、前記ＥＰ灰の全量について、前記第一のサイロ又は前記第二のサイロのうちいずれのサイロへ移送させるかを選択可能にしたことを特徴とする。
【０００８】
また、本発明は、火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理方法であって、前記ＥＰ灰の全量について、前記第一のサイロ又は前記第二のサイロのうちいずれのサイロへ移送させるかを選択可能にしたことを特徴とする。
【０００９】
また、本発明は、火力発電所から排出される石炭灰のうち電気集塵器で捕集されたＥＰ灰を、第一のサイロ又は第二のサイロへ移送し、前記第一のサイロへ移送されたＥＰ灰を再利用処理し、前記第二のサイロへ移送されたＥＰ灰を廃棄処理するＥＰ灰の処理システムにおいて、前記ＥＰ灰を前記電気集塵器から前記第一のサイロ又は前記第二のサイロへ移送する移送経路中に切替装置が設けられ、且つ、当該切替装置を制御するコンピュータが設けられ、前記コンピュータに、前記ＥＰ灰の全量について、前記第一のサイロ又は前記第二のサイロのうちいずれのサイロへ移送させるかを選択するステップを実行させるＥＰ灰の処理用プログラムである。
【発明の効果】
【００１０】
本発明によれば、ＥＰ灰が移送される複数のサイロのうちいずれかに不調が生じた場合や、いずれかの灰量が限界に達した場合などにおいても、火力発電所のユニット運転を継続することが可能となる。
【発明を実施するための最良の形態】
【００１１】
以下、図１及び図２を参照しながら、本発明の実施形態について説明する。  
図１は本発明の実施形態に係る火力発電所の石炭灰処理システムを示す概略図、図２は図１の各系統概略図である。
【００１２】
図１に示すように、火力発電所の石炭灰処理システム１００は、本発明のＥＰ灰の処理システム１０を備える。このＥＰ灰の処理システム１０は、火力発電所の１号ボイラ１から排出される石炭灰のうち電気集塵器１１，１２で捕集されたＥＰ灰を、いずれも第一のサイロである１号中継サイロ２１又は第二のサイロである極細粉サイロ２２へ移送し、１号中継サイロ２１へ移送されたＥＰ灰については再利用処理し、極細粉サイロ２２へ移送されたＥＰ灰については廃棄処理するシステムである。
【００１３】
このＥＰ灰の処理システム１０にあっては、ＥＰ灰を一対の電気集塵器１１，１２から１号中継サイロ２１又は極細粉サイロ２２へ移送する移送経路中に、当該ＥＰ灰を捕集する捕集装置２３及び切替装置３０が設けられている。切替装置３０は、コンピュータ３１によりプログラム制御されているが、手動制御されたものであってもよい。
【００１４】
また、各移送経路、すなわち、電気集塵器１１で捕集されたＥＰ灰を当該電気集塵器１１から１号中継サイロ２１又は極細粉サイロ２２へ移送する移送経路（図１の「Ｂ系統」参照）、及び電気集塵器１２で捕集されたＥＰ灰を当該電気集塵器１２から１号中継サイロ２１又は極細粉サイロ２２へ移送する移送経路（図１の「Ｃ系統」参照）は、いずれも捕集装置２３に連結されている。そして、この捕集装置２３の下流側に設けられた切替装置３０、及びコンピュータ３１により、捕集装置２３で捕集されたＥＰ灰の全量について、１号中継サイロ２１又は極細粉サイロ２２のうちいずれのサイロへ移送させるかを選択可能としている。例えば、図２に示すように、捕集装置２３で捕集されたＥＰ灰の全量（図２の「ＥＰ１，２、３室灰」参照）について、より具体的には、電気集塵器１１，１２の第３室において捕集されたＥＰ灰のみならず、電気集塵器１１，１２の第１，２室において捕集されたＥＰ灰についても、１号中継サイロ２１又は極細粉サイロ２２のうちいずれのサイロへ移送させるかを選択可能としている。
【００１５】
このような火力発電所の石炭灰処理システム１００においては、ＥＰ灰の処理システム１０の切替装置３０によって、ＥＰ灰の全量について、１号中継サイロ２１又は極細粉サイロ２２のうちいずれのサイロへ移送させるかを選択することが可能となっている。そのため、１号中継サイロ２１の払い出し装置に不調が生じた場合や、１号中継サイロ２１の灰量が限界に達した場合などにおいては、コンピュータ３１により、切替装置３０を切り替えて、ＥＰ灰の全量を極細粉サイロ２２へ移送させるように選択することにより、極細粉サイロ２２の下流側に設けられた極細粉ＪＰＰ（ジェットパルジョンポンプ）３２を介して灰捨場へ捨てたり、或いは、ジェットバック車３３などによりＥＰ灰を搬出することで、火力発電所のユニット運転を停止することなく継続することが可能となる。
【図面の簡単な説明】
【００１６】
【図１】本発明の実施形態に係る火力発電所の石炭灰処理システムを示す概略図である。
【図２】図１の各系統概略図である。
【図３】従来例に係る各系統概略図である。
【符号の説明】
【００１７】
１０  ＥＰ灰の処理システム
１１，１２  電気集塵器
２１  １号中継サイロ（第一のサイロの一例）
２２  極細粉サイロ（第二のサイロの一例）
２３  捕集装置
３０  切替装置
３１  コンピュータ
１００  火力発電所の石炭灰処理システム
【図２】
2011031207.tif 000003
【図３】
2011031207.tif 000004
【図１】
2011031207.tif 000005